(57)【要約】【課題】下寝具と上寝具の間の隅々まで温風を送ることができる布団乾燥機を提供する。【解決手段】本体ケース内にファン及びヒータを内蔵して設けられる本体１と、この本体１に基端側が接続して設けられる通風部としてのホース６と、このホース６の先端に設けられるノズル７とを有する。このノズル７が、基部２１と、横方向に並ぶように前記基部２１から分岐して設けられる複数の吹出筒部２２，２３，２３とを有し、これらの吹出筒部２２，２３，２３が、それらの吹出口３３側に向かって互いの間隔が広がるように構成されるから、複数の吹出筒部２２，２３，２３から、下寝具と上寝具の間に広がるように温風が送られるので、下寝具と上寝具との間の隅々まで温風を行き渡らせ、ムラなく乾燥させることができる。【選択図】図１
2018079236.tif 000002
【特許請求の範囲】
【請求項１】
本体ケース内にファン及びヒータを内蔵して設けられる本体と、この本体に基端側が接続して設けられる通風部と、この通風部の先端に設けられるノズルとを有して構成される布団乾燥機において、
前記ノズルが、基部と、横方向に並ぶように前記基部から分岐して設けられる複数の吹出部とを有し、これらの吹出部が、その吹出口側に向かって互いの間隔が広がるように構成されることを特徴とする布団乾燥機。
【請求項２】
個々の前記吹出部が、少なくともその吹出口において、横方向の外寸法よりも縦方向の外寸法が大とされることを特徴とする請求項１記載の布団乾燥機。
【請求項３】
個々の前記吹出部が、少なくともその吹出口において、横方向の内寸法よりも縦方向の内寸法が大とされることを特徴とする請求項２記載の布団乾燥機。
【発明の詳細な説明】
【技術分野】
【０００１】
本発明は、乾燥マットを用いずにふとんを乾燥させることができる布団乾燥機に関するものである。
【背景技術】
【０００２】
従来、この種の布団乾燥機としては、温風発生源をケースに内蔵した装置本体と、一端が前記温風発生源の温風吹出し口に接続され、かつ、他端が上下の寝具間に挿入されて温風を該上下寝具間の就寝空間に吹き込むように開口されている温風送給用ホースとを備え、温風送給用ホースにホース他端部を接続し、このホース他端部を扁平化することにより、該ホース他端部を上下寝具間に挿入したとき、その挿入箇所の両側に隙間が発生されない、あるいは、発生されるにしても極僅かな大きさの隙間となるようにし、前記温風発生源で発生された温風を扁平形状の前記ホース他端部から前記就寝空間内に直接吹き込むようにしたものが知られている（例えば、特許文献１参照）。
【先行技術文献】
【特許文献】
【０００３】
【特許文献１】特開２００６−２５５３５４号公報
【発明の概要】
【発明が解決しようとする課題】
【０００４】
しかしながら、このような布団乾燥機は、ホース他端部が縦方向に薄く形成されているだけなので、敷き布団又はマットレス（以下、敷き布団と略す）と掛け布団との間の隅々まで温風を行き渡らせることができず、乾燥ムラが生じがちであった。また、ホース他端部が縦方向に薄く形成されているので、ホース他端部の吹出口の周辺において、敷き布団と掛け布団との間に殆ど空間が生じない。従って、敷き布団と掛け布団との狭い隙間に温風を送ることになるため、遠くまで温風が届きにくいという問題もあった。
【０００５】
本発明は以上の問題点を解決し、敷き布団と掛け布団の間の隅々まで温風を送ることができる布団乾燥機を提供することを目的とする。また、本発明は敷き布団と掛け布団の間で遠くまで温風を送ることができる布団乾燥機を提供することを目的とする。
【課題を解決するための手段】
【０００６】
本発明の請求項１に記載の布団乾燥機は、本体ケース内にファン及びヒータを内蔵して設けられる本体と、この本体に基端側が接続して設けられる通風部と、この通風部の先端に設けられるノズルとを有して構成される布団乾燥機において、前記ノズルが、基部と、横方向に並ぶように前記基部から分岐して設けられる複数の吹出部とを有し、これらの吹出部が、その吹出口側に向かって互いの間隔が広がるように構成されるものである。
【０００７】
また、本発明の請求項２に記載の布団乾燥機は、請求項１において、個々の前記吹出部が、少なくともその吹出口において、横方向の外寸法よりも縦方向の外寸法が大とされるものである。
【０００８】
更に、本発明の請求項３に記載の布団乾燥機は、請求項２において、個々の前記吹出部が、少なくともその吹出口において、横方向の内寸法よりも縦方向の内寸法が大とされるものである。
【発明の効果】
【０００９】
本発明の請求項１に記載の布団乾燥機は、以上のように構成することにより、複数の吹出部から、敷き布団と掛け布団の間に広がるように温風が送られるので、敷き布団と掛け布団との間の隅々まで温風を行き渡らせ、ムラなく乾燥させることができる。
【００１０】
なお、個々の前記吹出部が、少なくともその吹出口において、横方向の外寸法よりも縦方向の外寸法が大とされることで、前記吹出口の周辺において、掛け布団が前記吹出部の高さ分持ち上げられることになり、敷き布団と掛け布団との間に空間が生じるので、温風を敷き布団と掛け布団の間で遠くまで送ることができる。
【００１１】
また、個々の前記吹出部が、少なくともその吹出口において、横方向の内寸法よりも縦方向の内寸法が大とされることで、前記吹出部の高さを保ちながら前記ノズルにおける温風の流通面積を小さくすることができるので、温風を敷き布団と掛け布団の間でより遠くまで送ることができる。
【図面の簡単な説明】
【００１２】
【図１】本発明の実施例１を示す先端側から見たノズルの斜視図である。
【図２】同上、基端側から見たノズルの斜視図である。
【図３】同上、布団乾燥機の側面図である。
【図４】同上、通風部を引き出した状態の本体の斜視図である。
【図５】同上、布団乾燥機の斜視図である。
【図６】同上、ノズルの正面図である。
【図７】同上、図６のＡ−Ａ線断面図である。
【図８】同上、図６のＢ−Ｂ線断面図である。
【図９】同上、中央のノズルの拡大正面図である。
【図１０】同上、使用状態を説明する説明図である。
【図１１】本発明の実施例２を示すノズルの斜視図である。
【図１２】同上、左右の吹出部を中央側に回動した状態の斜視図である。
【図１３】本発明の実施例３を示すノズルの側面図である。
【図１４】本発明の実施例４を示すノズルの正面図である。
【図１５】同上、図１４のＡ−Ａ線断面図である。
【発明を実施するための形態】
【００１３】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１４】
以下、本発明の実施例１について、図１〜図１０に基づいて説明する。１は布団乾燥機であり、この布団乾燥機１は、本体ケース２内にファン３及びヒータ４を内蔵して設けられる本体５と、この本体５に基端側が接続して設けられる通風部たるホース６と、このホース６の先端に設けられるノズル７とを有して構成される。
【００１５】
前記本体ケース２は、前後方向に長いと共に、この前後方向より左右方向が短い略直方体形状をなす。前記本体ケース２の前面部１１には、片開き式の開閉扉１２が設けられ、この開閉扉１２は左右一側である右側に設けたヒンジ部１２Ａを中心に開閉する。前記前面部１１の後方に、前記本体ケース２内の内部空間を前後に仕切る仕切り板１３が設けられ、この仕切り板１３の前側の内部空間によりホース収納部１４が構成される。
【００１６】
図３に示すように、前記仕切り板１３の後方の収納空間には、シロッコファン等の前記ファン３が収納されており、このファン３の吹出し筒３Ａに前記ヒータ４が設けられる。また、前記吹出し筒３Ａの先端３Ｂに前記ホース６の基端側が接続され、前記ノズル７が接続された状態で前記ホース６が前記ホース収納部１４に収納される。そして、図４に示すように、前記開閉扉１２を開くと、前記ホース６の先端側を本体ケース２の前側に引き出すことができる。
【００１７】
前記本体ケース２の左右一側の側面である左側面部１５には、前記ファン３の側面の吸込み口（図示せず）に対応して、複数の通気孔１６が穿設される。
【００１８】
前記本体ケース２の上面部１７に、前後方向に長い開口部１８が設けられると共に、該上面部１７と左側面部１５との角部に、前後方向に長い開口部１８Ａが設けられ、これら開口部１８，１８Ａが本体ケース２の内側の連通孔１８Ｂにより連通されることにより、上面部１７の左側に把持部１９が形成される。
【００１９】
従って、前記上面部１７の開口部１８に手を入れ、前記把持部１９を把持することにより、前記布団乾燥機１を持つことができる。
【００２０】
また、前記本体ケース２の上面部１７の後側には、前記布団乾燥機１の駆動を操作するスイッチ２０が設けられる。
【００２１】
前記ノズル７は、合成樹脂製であって、接続部たる基部２１と、横方向に並ぶように前記基部２１から分岐して設けられる複数の吹出部たる吹出筒部２２，２３，２３とを有する。これらの中央と左右の吹出筒部２２，２３，２３は、それらの吹出口側である先端２２Ｓ，２３Ｓ，２３Ｓに向かって互いの横方向の間隔が広がるように構成される。
【００２２】
前記ホース６の先端には接続部８が設けられ、この接続部８には円筒状の挿入筒部８Ａが設けられる。前記基部２１は、円筒状の筒部２５と、この筒部２５の先端を塞ぐ板状の先端面２６とを有し、前記筒部２５内に前記挿入筒部８Ａが着脱可能に挿入接続される。なお、前記ノズル７は上下対称の形状を有するから、上下を変えても挿入筒部８Ａに接続することができる。
【００２３】
前記吹出筒部２２，２３，２３は、縦方向に長い筒状をなし、間隔を置いて配置された左右の側板部３１，３１と、これら左右の側板部３１，３１の上端間及び下端間を連結する半円部３２，３２とを備え、前記左右の側板部３１，３１の間隔は、上下方向中央において上端及び下端より僅かに広くなるように、上端及び下端から上下方向中央に向かって僅かに広がるテーパー状に形成される。このように、前記各吹出筒部２２，２３，２３の外側形状及び内側形状は、略長円形に形成される。
【００２４】
前記中央の吹出筒部２２は、左右の吹出筒部２３，２３より縦方向にやや長く形成される。また、図８等に示すように、前記中央の吹出筒部２２は、前記基部２１の左右方向中央で前記ノズル７の長さ方向に配置される。そして、前記左右の吹出筒部２３，２３は、前記中央の吹出筒部２２に対して、それぞれ３０度左右外向きに設けられる。また、図８に示すように、先端２３Ｓ，２３Ｓにおける前記左右の吹出筒部２３，２３の左右外側の側板部３１，３１の間隔Ｗは、前記基部２１の筒部２５の直径Ｄより大きく形成される。
【００２５】
そして、前記各吹出筒部２２，２３，２３の基端側が開口部により前記基部２１の筒部２５に連通し、前記各吹出筒部２２，２３，２３の先端２２Ｓ，２３Ｓ，２３Ｓに略長円形の吹出口３３が設けられる。
【００２６】
上述したように、前記各吹出筒部２２，２３，２３の外側形状及び内側形状は、略長円形をなす。図９に示すように、前記吹出口３３が位置する先端２２Ｓ，２３Ｓ，２３Ｓにおいて、横方向より縦方向に長い前記各吹出筒部２２，２３，２３は、横方向の外寸法Ｇｙより縦方向の外寸法Ｇｘが大きい。また、前記各吹出筒部２２，２３，２３の肉厚は一定であり、先端２２Ｓ，２３Ｓ，２３Ｓにおいて、前記吹出筒部２２，２３，２３は、横方向の内寸法Ｕｙより縦方向の内寸法Ｕｘが大きい。なお、前記中央の吹出筒部２２に比べて、前記左右の吹出筒部２３，２３の外寸法Ｇｘ及び内寸法Ｕｘが小さく形成されている。
【００２７】
図２に示すように、前記筒部２５の内周面の左右には、長さ方向の係止凸部４１，４１がそれぞれ形成される。そして、前記挿入筒部８Ａに前記ノズル７を接続した状態で、左右の前記係止凸部４１，４１が前記挿入筒部８Ａの外面に加圧状態で密着することにより、前記接続部８に対して、前記ノズル７を接続することができる。
【００２８】
次に、前記布団乾燥機１の使用方法について説明する。まず、使用者は、前記ノズル７を敷き布団又はマットレス等の下寝具１０１と掛け布団等の上寝具１０２との間に挿入する。この際、前記吹出筒部２２，２３，２３が横並びになるように、即ち前記吹出筒部２２，２３，２３の長さ方向が縦方向になるように、前記ノズル７を挿入する。
【００２９】
こうすると、図１０に示すように、従来のノズルに比べて、縦長な吹出筒部２２，２３，２３により前記上寝具１０２が持ち上げられることにより、前記吹出口３３，３３，３３の前方に大きな空間１０３が形成される。なお、前記ノズル７は、前記下寝具１０１及び上寝具１０２の幅方向の中央に配置することが好ましい。
【００３０】
そして、電源コード（図示せず）を交流電源に接続し、前記スイッチ２０を操作することで、前記ホース６を経て前記吹出口３３から前記空間１０３に温風が吹き出される。この温風は、前記空間１０３が形成されていることにより、前記ノズル７の長さ方向に効率よく送り込まれる。同時に、複数の前記吹出口３３，３３，３３から温風を吹出すことにより、前記下寝具１０１と上寝具１０２との間の隅々まで温風を行き渡らせ、ムラなく乾燥させることができる。
【００３１】
この場合、前記中央の吹出筒部２２と、この吹出筒部２２に対して先端側が左右に広がった前記左右の吹出筒部２３，２３から温風を吹き出すため、前記下寝具１０１及び上寝具１０２の幅方向に均一に温風を送り込むことができる。なお、前記ノズル７から吹出す気流は、温風であっても冷風であってもよく、冷風の場合は乾いた空気を吹き出す。
【００３２】
以上のように本実施例は、本体ケース２内にファン３及びヒータ４を内蔵して設けられる本体５と、この本体５に基端側が接続して設けられる通風部たるホース６と、このホース６の先端に設けられるノズル７とを有して構成される布団乾燥機１において、前記ノズル７が、基部２１と、横方向に並ぶように前記基部２１から分岐して設けられる複数の吹出部たる吹出筒部２２，２３，２３とを有し、これらの吹出筒部２２，２３，２３が、その吹出口３３側に向かって互いの間隔が広がるように構成されるから、複数の吹出筒部２２，２３，２３から、敷き布団である下寝具１０１と掛け布団である上寝具１０２の間に広がるように温風が送られるので、敷き布団と掛け布団との間の隅々まで温風を行き渡らせ、ムラなく乾燥させることができる。
【００３３】
なお、個々の前記吹出部たる吹出筒部２２，２３，２３が、少なくともその吹出口３３において、横方向の外寸法Ｇｙよりも縦方向の外寸法Ｇｘが大とされるから、前記吹出口３３の周辺において、前記上寝具１０２が前記吹出筒部２２，２３，２３の高さ分持ち上げられることになり、前記下寝具１０１と前記上寝具１０２との間に空間１０３が生じるので、温風を前記下寝具１０１と前記上寝具１０２の間で遠くまで送ることができる。
【００３４】
また、個々の前記吹出部たる吹出筒部２２，２３，２３が、少なくともその吹出口３３において、横方向の内寸法Ｕｙよりも縦方向の内寸法Ｕｘが大とされるから、前記吹出筒部２２，２３，２３の高さを保ちながら前記ノズル７における温風の流通面積を小さくすることができるので、温風を前記下寝具１０１と前記上寝具１０２の間でより遠くまで送ることができる。
【００３５】
以下、実施例上の効果として、前記先端２３Ｓ，２３Ｓにおける左右の吹出筒部２３，２３の左右外側の側板部３１，３１の間隔Ｗが、前記基部２１の筒部２５の直径Ｄより大きく形成されているから、前記空間１０３の左右幅を確保することができる。また、前記中央の吹出筒部２２は、前記基部２１の左右方向中央で前記ノズル７の長さ方向に配置され、前記左右の吹出筒部２３，２３は前記中央の吹出筒部２２に対して所定角度である２０度〜４０度左右外向きに設けられているから、前記中央の吹出筒部２２からまっすぐ温風を吹出すと共に、前記左右の吹出筒部２３，２３から斜めに吹出すため、前記寝具１０１，１０２に均一に温風を吹き込むことができる。なお、前記ノズル７は前記下寝具１０１及び上寝具１０２の幅方向の中央に配置すると共に、前記中央の吹出筒部２２から前記下寝具１０１及び上寝具１０２の長さ方向に温風を吹き出すから、前記左右の吹出筒部２３，２３は前記中央の吹出筒部２２に対して所定角度である２０度〜４０度とすることにより、下寝具１０１及び上寝具１０２の左右の角部側に向かって前記左右の吹出筒部２３，２３から温風を吹き出すことにより、温風を均一に送り込むことができる。更に、前記先端面２６の面積より、この先端面２６における前記吹出筒部２２，２３，２３の開口面積の合計面積が小さいから、前記吹出筒部２２，２３，２３により温風を絞って吹き出すことができる。
【実施例２】
【００３６】
図１１〜図１２は本発明の実施例２を示し、上記実施例１と同一部分に同一符号を付し、その説明を省略して詳述する。この例では、吹出筒部２２，２３，２３が回動可能に設けられている。
【００３７】
同図に示すように、前記基部２１の先端には接続筒部５１が連結され、この接続筒部５１の中心軸Ｓは上下方向をなしている。前記接続筒部５１には前記吹出筒部２２，２３，２３が回動可能に連結され、これら吹出筒部２２，２３，２３は前記中心軸Ｓを中心に所定角度回動可能に設けられている。
【００３８】
具体的には、ノズル５０の長さ方向に配置した前記中央の吹出筒部２２に対して、前記左右の吹出筒部２３，２３はそれぞれ３０度左右外向きに回動した位置で図示しないストッパにより回動規制される。また、図１２に示すように、前記左右の吹出筒部２３，２３を中央側に回動し、それら左右の吹出筒部２３，２３を前記中央の吹出筒部２２に並べることができる。この場合、前記各吹出筒部２２，２３，２３の吹出口３３，３３，３３は、前記ノズル５０の長さ方向において同一位置となる。なお、図１１の状態で、前記中央の吹出筒部２２を単独で左右に回動することもできる。
【００３９】
また、各吹出筒部２２，２３，２３の断面形状は、同一形状の長方形形状であり、左右の側板部３１，３１は直線状に形成され、これら左右の側板部３１，３１の上端間及び下端間が上板部５２及び下板部５３により連結される。
【００４０】
以上のように本実施例では、前記ノズル５０が、基部２１と、横方向に並ぶように前記基部２１から分岐して設けられる複数の吹出部たる吹出筒部２２，２３，２３とを有し、これらの吹出筒部２２，２３，２３が、その吹出口３３側に向かって互いの間隔が広がるように構成されるから、上記実施例１と同様な作用・効果を奏する。
【００４１】
また、この例では、ノズル５０に各吹出筒部２２，２３，２３を角度調整可能に設けたから、吹出筒部２２，２３，２３の向きを調整することにより好ましい範囲に温風を吹出すことができる。
【実施例３】
【００４２】
図１３は本発明の実施例３を示し、上記各実施例と同一部分に同一符号を付し、その説明を省略して詳述する。この例のノズル６０では、左右の吹出筒部２３，２３を、先端２３Ｓ，２３Ｓに向かって高さ寸法が大きくなるようにテーパー状に形成し、左右の吹出筒部２３，２３の先端２３Ｓ，２３Ｓにおける高さを、中央の吹出筒部２２の高さと同じに形成している。
【００４３】
このように、本実施例は、上記各実施例と同様な作用・効果を奏する。また、本実施例では、複数の吹出部たる吹出筒部２２，２３，２３は、先端２２Ｓ，２３Ｓ，２３Ｓにおいて、縦方向の外寸法Ｇｘが同一であるから、上寝具１０２を持ち上げて空間１０３を確保するのに有利な構造となる。
【実施例４】
【００４４】
図１４及び図１５は本発明の実施例４を示し、上記各実施例と同一部分に同一符号を付し、その説明を省略して詳述する。この例のノズル７０では、中央の吹出筒部２２の上下に内向きリブ７１，７１が設けられ、上の内向きリブ７１の下縁７２が上の半円部３２の内周形状と同一に形成され、下の内向きリブ７１の上縁７２Ａが下の半円部３２の内周形状と同一に形成される。これにより、先端２２Ｓにおける左右の側板部３１，３１と下縁６２と上縁６２Ａに囲まれる吹出口３３Ａは、先端２３Ｓ，２３Ｓおける前記左右の吹出筒部２３，２３の吹出口３３，３３と同一高さで同一形状となる。そして、各吹出筒部２２，２３，２３の先端２２Ｓ，２３Ｓ，２３Ｓにおける吹出口３３Ａ，３３，３３の縦方向及び横寸法の内寸法Ｕｘ，Ｕｙが同一となる。
【００４５】
このように、本実施例は上記各実施例と同様な作用・効果を奏する。また、本実施例では、中央の吹出筒部２２の縦方向の外寸法Ｇｘを変えることなく、各吹出筒部２２，２３，２３の開口面積を同一にして、均等な吹き出しを行うことができる。
【００４６】
なお、本発明は以上の実施例に限定されるものではなく、発明の要旨の範囲内で種々の変実施が可能である。例えば、上記各実施例では、吹出部を中央と左右の三つ設けたノズルを例示したが、ノズルは左右二つの吹出部を有するものでもよく、あるいは、ノズルは吹出部を四つ以上有するものでもよい。また、ノズルを通風部から外し、外したノズルをホース収納部に収納するようにしてもよい。さらに、実施例では、一つの吹出筒部に一つの吹出口を設けたが、複数の吹出口を設けても良い。
【符号の説明】
【００４７】
１  布団乾燥機
２  本体ケース
３  ファン
４  ヒータ
５  本体
６  ホース（通風部）
７，５０，６０，７０  ノズル
２１  基部
２２  吹出筒部（吹出部）
２２Ｓ  先端
２３  吹出筒部（吹出部）
２３Ｓ  先端
３３  吹出口
Ｇｙ  横方向の外寸法
Ｇｘ  縦方向の外寸法
Ｕｙ  横方向の内寸法
Ｕｘ  縦方向の内寸法
【図１】
2018079236.tif 000003
【図２】
2018079236.tif 000004
【図３】
2018079236.tif 000005
【図４】
2018079236.tif 000006
【図５】
2018079236.tif 000007
【図６】
2018079236.tif 000008
【図７】
2018079236.tif 000009
【図８】
2018079236.tif 000010
【図９】
2018079236.tif 000011
【図１０】
2018079236.tif 000012
【図１１】
2018079236.tif 000013
【図１２】
2018079236.tif 000014
【図１３】
2018079236.tif 000015
【図１４】
2018079236.tif 000016
【図１５】
2018079236.tif 000017